(57)【要約】【課題】ファスナーにより接合することで縫製にかかる手間を軽減し、表面に接合跡があらわれることを防いで外見上すっきりさせ、意匠性を高めた。【解決手段】ケース本体２は、前方半部を形成する前面部３と、後方半部を形成する後面部１１とで略構成され、前面部３は、前面４と、一対の側面５，５と、底面６と、一方の側面５，５から底面６を介して他方の側面５，５までの各端縁に設けられ噛合片８がファスナーテープ９の端縁９ａによって隠れる一方のファスナー部７とを有し、後面部１１は、後面１２と、一対の側面１３，１３と、底面１４と、一方の側面１３，１３から底面１４を介して他方の側面１３，１３までの各端縁に設けられ噛合片１９がファスナーテープ２０の端縁２０ａによって隠れる他方のファスナー部１８とを有し、各ファスナー部７，１８の噛合片８，１９が噛合することで前面部３と後面部１１とは一体的に接合される。【選択図】図５
0003125871.tif 000002
【実用新案登録請求の範囲】
【請求項１】
上面が開口した略矩形の有底筒状のケース本体内にカメラ等が収納されるケースであって、
前記ケース本体は、該本体の前後方向における前方半部を形成する前面部と、前記前後方向における後方半部を形成する後面部とで略構成され、
前記前面部は、前面と、
前記前面の両側縁部がそれぞれ後方に向けて屈曲して形成される一対の側面と、
前記前面の下縁部が後方に向けて屈曲して形成される底面と、
前記一対の側面の一方から前記底面を介して他方までの各端縁に設けられ、噛合片がファスナーテープの端縁によって該ファスナーテープの裏に隠れる一方のファスナー部と、を有し、
前記後面部は、後面と、
前記後面の両側縁部がそれぞれ前方に向けて屈曲して形成される一対の側面と、
前記後面の下縁部が前方に向けて屈曲して形成される底面と、
前記一対の側面の一方から前記底面を介して他方までの各端縁に設けられ、噛合片がファスナーテープの端縁によって該ファスナーテープの裏に隠れ、前記一方のファスナー部と共に一組のファスナーとなる他方のファスナー部と、を有し、
前記一方のファスナー部の前記噛合片と前記他方のファスナー部の前記噛合片とが噛合することで前記前面部と前記後面部とは一体的に接合されることを特徴とするカメラ等のケース。
【請求項２】
前記ケース本体の一方の側面から底面を介して他方の側面までの裏面にあらわれる前記噛合片を被覆するように前記各裏面に被覆テープが貼り付けられることを特徴とする請求項１記載のカメラ等のケース。
【請求項３】
前記ケース本体の一方の側面から底面を介して他方の側面までの表面にあらわれる前記噛合片を被覆するように前記各表面に被覆テープが貼り付けられることを特徴とする請求項１記載のカメラ等のケース。
【請求項４】
前記ケース本体に、該本体の開口した前記上面を塞ぐための蓋部が設けられることを特徴とする請求項１又は２記載のカメラ等のケース。
【請求項５】
前記蓋部が略帯状に形成され、その一端側が前記後面に固着されるとともに他端側が前記前面に着脱自在に係着されることを特徴とする請求項３記載のカメラ等のケース。
【考案の詳細な説明】
【技術分野】
【０００１】
本考案は、カメラ等を収納するケースに係り、縫製にかかる手間を軽減し、且つ意匠性を高めたカメラ等のケースに関する。
【背景技術】
【０００２】
日常でよく持ち運ばれるデジタルカメラなどを傷や汚れから保護するために、不使用時にはカメラをケースに収納しておく必要がある。このようなカメラケースには、例えば、図８に示すような形状のものが見られる。このケース１００は、射出成形などで形成された前面１０１と後面１０２とが対向配置され、上縁部をカメラ挿入口（不図示）として開放し、他の周縁部１０３〜１０５を縫い付けて接合されたものである。
【考案の開示】
【考案が解決しようとする課題】
【０００３】
しかしながら、上述したような従来のカメラケース１００は、前面１０１と後面１０２とを対向させた状態のまま縫製しなければならず、図８のように立体的に形成されたケース１００では縫い付け作業が大変煩雑になっていた。また、ケース１００の周縁部１０３〜１０５に接合跡１０３ａ〜１０５ａが残ってしまうため外見もすっきりせず、意匠性を損なう原因になっていた。
【０００４】
そこで本考案は、上記問題点を解消するために、接合部にファスナーを用いることで縫製にかかる手間を軽減し、表面に接合跡があらわれることを防いで外見上すっきりさせ意匠性を高めたカメラ等のケースを提供することを目的としている。
【課題を解決するための手段】
【０００５】
次に、上記の課題を解決するための手段を、実施の形態に対応する図面を参照して説明する。
本考案の請求項１記載のカメラ等のケース１は、上面１０が開口した略矩形の有底筒状のケース本体２内にカメラ等が収納されるケース１であって、
前記ケース本体２は、該本体２の前後方向における前方半部を形成する前面部３と、前記前後方向における後方半部を形成する後面部１１とで略構成され、
前記前面部３は、前面４と、
前記前面４の両側縁部がそれぞれ後方に向けて屈曲して形成される一対の側面５，５と、
前記前面４の下縁部が後方に向けて屈曲して形成される底面６と、
前記一対の側面５，５の一方から前記底面６を介して他方までの各端縁に設けられ、噛合片８がファスナーテープ９の端縁９ａによって該ファスナーテープ９の裏に隠れる一方のファスナー部７と、を有し、
前記後面部１１は、後面１２と、
前記後面１２の両側縁部がそれぞれ前方に向けて屈曲して形成される一対の側面１３，１３と、
前記後面１２の下縁部が前方に向けて屈曲して形成される底面１４と、
前記一対の側面１３，１３の一方から前記底面１４を介して他方までの各端縁に設けられ、噛合片１９がファスナーテープ２０の端縁２０ａによって該ファスナーテープ２０の裏に隠れ、前記一方のファスナー部７と共に一組のファスナーとなる他方のファスナー部１８と、を有し、
前記一方のファスナー部７の前記噛合片８と前記他方のファスナー部１８の前記噛合片１９とが噛合することで前記前面部３と前記後面部１１とは一体的に接合されることを特徴としている。
【０００６】
請求項２記載のカメラ等のケース１は、前記ケース本体２の一方の側面５，１３から底面６，１４を介して他方の側面５，１３までの裏面にあらわれる前記噛合片８，１９を被覆するように前記各裏面に被覆テープ２２が貼り付けられることを特徴としている。
【０００７】
請求項３記載のカメラ等のケース１は、前記ケース本体２の一方の側面５，１３から底面６，１４を介して他方の側面５，１３までの表面にあらわれる前記噛合片８，１９を被覆するように前記各表面に被覆テープ２２が貼り付けられることを特徴としている。
【０００８】
請求項４記載のカメラ等のケース１は、前記ケース本体２に、該本体２の開口した前記上面１０を塞ぐための蓋部１５が設けられることを特徴としている。
【０００９】
請求項５記載のカメラ等のケース１は、前記蓋部１５が略帯状に形成され、その一端側１５ａが前記後面１２に固着されるとともに他端側１５ｂが前記前面４に着脱自在に係着されることを特徴としている。
【考案の効果】
【００１０】
本考案によるカメラ等のケースによれば、前面部の一方のファスナー部と後面部の他方のファスナー部とが一組のファスナーを構成するためスライダーを用いてこれを閉じることが可能となり、前面部と後面部とを簡単に接合できるようになる。また、各ファスナー部は、前面部と後面部とが接合される前にそれぞれ縫い付けられるため縫製が容易である。したがって、これまで縫製にかかっていた手間を大幅に軽減することができる。さらに、前面部及び後面部に設けられた各ファスナー部の噛合片が、ファスナーテープの端縁の裏に隠れることでケース本体の表面に露出することを防ぐことができる。この結果、ケースは外見上すっきりし、意匠性を高めることになる。
【００１１】
また、ケース本体内における一対の側面及び底面の裏面にあらわれる各ファスナー部の噛合片を被覆テープで隠すことができる。この結果、ケースの意匠性を更に向上させることになる。
【００１２】
また、被覆テープが一対の側面及び底面の表面、つまり、ケース本体の表面に貼り付けられることで、このケース本体の表面に噛合片が露出することを防止できるとともに、ケース本体に被覆テープがあらわれることで、意匠的に、上述したケースとは異なるデザインをあらわすことも可能となる。
【００１３】
さらに、蓋部によってケース本体の開口した上面を塞ぐことで収納したカメラ等が脱落することを防止できる。
【考案を実施するための最良の形態】
【００１４】
以下、本考案の実施の形態を図面を参照して具体的に説明する。
図１は本考案によるカメラ等のケースを示す正面斜視図、図２は同背面斜視図、図３はカメラ等が収納される状態を示す斜視図、図４はファスナー部を取り付ける手順を示す模式的な端面図、図５はケースの分解斜視図、図６はケースの接合手順を示す斜視図、図７は被覆テープを貼り付ける手順を示す斜視図である。
【００１５】
本考案のカメラ等のケースは、例えば、デジタルカメラなどを収納するケースであり、該カメラを傷や汚れなどから保護するものである。
【００１６】
まず、この実施の形態のカメラ等のケースの構成について説明する。
図１に示すように、このケース１のケース本体２は、略矩形の有底筒状に形成され、前後（ケース１の厚さ）方向における前方半部を形成する前面部３と、後方半部を形成する後面部１１とで略構成されている。
【００１７】
図１，５に示すように、前面部３は、前面４と、一対の側面５，５と、底面６と、一方のファスナー部７とで略構成されている。前面４は略矩形板状に形成され、前面４の両側縁部が前後方向における後方に向けて屈曲され一対の側面５，５が形成される。また、前面４の下縁部が前後方向における後方に向けて屈曲され底面６が形成される。なお、前面部３の各面４，５，６はプレス加工などで形成され、前面部３の裏面には裏面シート２５が内張りされている。また、前面部３の上縁部は、完成したケース本体２にカメラを入れるための開口した上面１０となる（図３参照）。さらに、前面４の表面には面ファスナー１７ａが設けられている。
【００１８】
図５に示すように、一方のファスナー部７は、ファスナーの半部であり、後述する後面部１１の他方のファスナー部１８と共に一組のファスナーを構成している。また、一方のファスナー部７は、一対の側面５，５のいずれか一方から底面６を介して他方までの後方端縁に設けられている。このファスナー部７には、噛合片８がファスナーテープ９の端縁９ａによってテープ９の裏に隠れることで表面に噛合片８があらわれないコンシール（登録商標）ファスナーを使用している。
【００１９】
図２，５に示すように、後面部１１は、後面１２と、一対の側面１３，１３と、底面１４と、蓋部１５と、他方のファスナー部とで略構成されている。後面１２は略矩形板状に形成され、後面１２の両側縁部が前後方向における前方に向けて屈曲され一対の側面１３，１３が形成される。また、後面１２の下縁部が前後方向における前方に向けて屈曲され底面１４が形成される。なお、後面部１１の各面１２，１３，１４は、前記前面部４と同様に、プレス加工などで形成され、後面部１１の裏面には裏面シート２６が内張りされている。さらに、後面部１１の上縁部は、前面部３の上縁部と共にケース本体２が完成したときにカメラを入れるための開口した上面１０となる（図３参照）。
【００２０】
また、後面部１１には、ケース本体２の上面１０（開口）を塞ぐための蓋部１５が固着されている。蓋部１５は、略帯状に形成され、その一端側１５ａが後面部１１に縫い付けられている。蓋部１５の一端側１５ａは、後面部１１上における上部と下部とが縫い付けられ、図２に示すように、中間部がベルト挿通部１６を形成している。蓋部１５の他端側１５ｂには、前述した前面４に設けられた面ファスナー１７ａに着脱自在に係着される面ファスナー１７ｂが設けられている。
【００２１】
図５に示すように、前述した他方のファスナー部１８は、ファスナーの半部であり、前記前面部４の一方のファスナー部７と共に一組のファスナーを構成している。他方のファスナー部１８は、一対の側面１３，１３のいずれか一方から底面１４を介して他方までの前方端縁に設けられている。このファスナー部１８には、前面部４の一方のファスナー部７と同様に、噛合片１９がファスナーテープ２０の端縁２０ａによってテープ２０の裏に隠れることで表面に噛合片１９があらわれないコンシール（登録商標）ファスナーを使用している。
【００２２】
次に、図４を参照して前面部（及び後面部）にファスナー部を取り付ける手順を説明する。
図４に示すように、前面部４の一対の側面５，５及び底面６の各端縁の外面に、ファスナーテープ９の噛合片８が設けられていない方の端部が一対の側面５，５の一方から他方まで順に縫い付けられる。このとき、噛合片８は外側に向いている。その後、縫い付けられたファスナーテープ９は、噛合片８が内側を向くように縫合部分から折り返される。
なお、後面部１１の他方のファスナー部１８も上記同様に縫い付けられる。
【００２３】
次に、図５〜７を参照してこの実施の形態のケース本体を組み立てる手順を説明する。
図５に示すように、前面部３と後面部１１とが前後方向に対向して配置され、前面部３及び後面部１１の対向する一方の側面５，１３からスライダー２１を挿通させる。このスライダー２１は、各噛合片８，１９を噛合させながら進行する。
図６（ａ）に示すように、スライダー２１が、前面部３及び後面部１１の一方の側面５，１３から底面（不図示）を介して他方の側面５，１３まで進行させる。
図６（ｂ）に示すように、他方の側面５，１３の終端部まで進行してきたスライダー２１を抜き取る。これにより、前面部３と後面部１１とが接合される。このとき、ファスナー部７，１８には、通常のファスナーように終端が閉じられていないため、そのままスライダー２１を進行させれば抜き取ることができる。
さらに、図７（ａ）に示すように、一方の面２３に接着材などが塗布された被覆テープ２２を、図７（ｂ）に示すように、ケース本体２内における一方の側面５，１３から底面６，１４を介して他方の側面５，１３までの裏面に貼り付ける。
最後に、ケース本体２の上面１０を形成する各端縁にカバー２４（図１参照）を被せ、ファスナー部７，１８のファスナーテープ９，２０や被覆テープ２２と共に縫い付けることで完成となる。
【００２４】
この実施の形態によれば、前面部３の一方のファスナー部７と後面部１１の他方のファスナー部１８とが一組のファスナーを構成するためスライダー２１を用いてこれを閉じることが可能となり、前面部３と後面部１１とを簡単に接合できるようになる。また、各ファスナー部７，１８は、前面部３と後面部１１とが接合される前に前面部３及び後面部１１にそれぞれ縫い付けられるため縫製が容易である。したがって、これまで縫製にかかっていた手間を大幅に軽減することが可能となる。さらに、前面部３（及び後面部１１）に設けられたファスナー部７の噛合片８が、ファスナーテープ９の端縁９ａの裏に隠れることでケース本体２の表面に露出することを防ぐことができる。この結果、外見上すっきりしてケース１の意匠性を高めることになる。
【００２５】
また、前面部３と後面部１１とが接合されたときに、ケース本体２内における一対の側面５，５，１３，１３及び底面６，１４の裏面にあらわれる各ファスナー部７，１８の噛合片８，１９を被覆テープ２２で隠すことができ、ケース１の意匠性を更に向上させることになる。
【００２６】
さらに、蓋部１５によってケース本体２の上面１０を塞ぐことで収納したカメラ等が脱落することを防止できる。
【００２７】
また、蓋部１５の一端側１５ａが、後面部１１にてベルト挿通部１６を形成することは、ケース本体２をベルトなどに取り付けることが可能となり、ケース１の持ち運びに便利である。
【００２８】
さらに、蓋部１５の他端側１５ｂに設けられた面ファスナー１７ｂが、前面４に設けられた面ファスナー１７ａに係着されることで蓋部１５が不意に開くことを防止できる。
【００２９】
なお、上述した実施の形態では、ケース本体２内における一方の側面５，１３から底面６，１４を介して他方の側面５，１３までの各裏面に被覆テープ２２を貼り付ける構成としたが、例えば、ケース本体２の表面に噛合片８，１９が露出している場合などに、ケース本体２の一方の側面５，１３から底面６，１４を介して他方の側面５，１３までの表面に被覆テープ２２が貼り付けられるように構成してもよい。このような構成によれば、ケース本体２の表面に噛合片８，１９が露出することを防止できるとともに、意匠的に、上述した実施の形態とは異なるデザインをあらわすことが可能となる。
【図面の簡単な説明】
【００３０】
【図１】本考案によるカメラ等のケースの一実施の形態を示す正面斜視図である。
【図２】同背面斜視図である。
【図３】同ケースにカメラ等が収納される状態を示す斜視図である。
【図４】同ケースにファスナー部を取り付ける手順を示す模式的な端面図である。
【図５】同ケースの分解斜視図である。
【図６】（ａ），（ｂ）同ケースの接合手順を示す斜視図である。
【図７】（ａ），（ｂ）同ケースに被覆テープを貼り付ける手順を示す斜視図である。
【図８】（ａ）従来のカメラケースを示す正面図である。  （ｂ）（ａ）におけるＡ−Ａ端面図である。
【符号の説明】
【００３１】
１…カメラ等のケース
２…ケース本体
３…前面部
４…前面
５…側面
６…底面
７…一方のファスナー部
８…噛合片
９…ファスナーテープ
９ａ…端縁
１０…上面
１１…後面部
１２…後面
１３…側面
１４…底面
１５…蓋部
１５ａ…一端側
１５ｂ…他端側
１８…他方のファスナー部
１９…噛合片
２０…ファスナーテープ
２０ａ…端縁
２２…被覆テープ
【図１】
0003125871.tif 000003
【図２】
0003125871.tif 000004
【図３】
0003125871.tif 000005
【図４】
0003125871.tif 000006
【図５】
0003125871.tif 000007
【図６】
0003125871.tif 000008
【図７】
0003125871.tif 000009
【図８】
0003125871.tif 000010